(57)【要約】【課題】ちらつきの無いスムーズなスクロールを行うことが可能な表示方法、表示システム、インターフェース装置、画像出力装置及び表示装置を提供する。【解決手段】表示装置５０の表示画面よりもサイズが大きく、表示画面に表示する第１画像と表示画面に表示する第２画像を抽出するための抽出用画像とを含む表示用画像を、コンピュータ４０のＣＰＵ４２で作成し、クリッピング装置１０に出力する。クリッピング装置１０は、抽出用画像上の第２画像抽出領域を指定し、第２画像抽出領域を除く抽出用画像上の領域に対応するイネーブル信号を無効化する。表示装置５０には、第１画像及び第２画像が表示される。【選択図】        図１
2004205718.tif 000002
【特許請求の範囲】
【請求項１】
画像データ信号を出力する画像出力モジュールと、画像データ信号に基づく表示画像を表示画面に表示する表示モジュールと、前記画像出力モジュール及び前記表示モジュール間に接続されたインターフェース装置とを用いた表示画像の表示方法において、
前記表示画面よりもサイズが大きい表示用画像を、前記画像出力モジュールで作成するステップと、
前記画像出力モジュールが作成した表示用画像から前記表示画面のサイズに応じたスクロール画像を前記インターフェース装置で抽出するステップと、
スクロール画像を抽出する毎に、スクロール画像の抽出位置を前記インターフェース装置で更新するステップと、
前記インターフェース装置が抽出したスクロール画像を表示モジュールが表示画面に表示するステップと
を有することを特徴とする表示方法。
【請求項２】
画像データ信号、ドットクロック信号、及び前記画像データ信号が有効であることを示すイネーブル信号を含む画像信号を出力する画像出力モジュールと、画像信号に基づく表示画像を表示画面に表示する表示モジュールと、前記画像出力モジュール及び前記表示モジュール間に接続されたインターフェース装置とを用いた表示画像の表示方法において、
前記表示画面よりもサイズが大きく、表示画面に表示する第１画像と表示画面に表示する第２画像を抽出するための抽出用画像とを含む表示用画像を、前記画像出力モジュールで作成するステップと、
抽出用画像上の第２画像抽出領域を、前記インターフェース装置で指定するステップと、
第２画像抽出領域を除く抽出用画像上の領域に対応するドットクロック信号及び／又はイネーブル信号を、前記インターフェース装置で無効化するステップとを有することを特徴とする表示方法。
【請求項３】
画像データ信号を出力する画像出力装置と、画像データ信号に基づく表示画像を表示画面に表示する表示モジュールとを用いた表示画像の表示方法において、
前記表示画面よりもサイズが大きい表示用画像を、前記画像出力装置で作成するステップと、
作成した表示用画像から前記表示画面のサイズに応じたスクロール画像を前記画像出力装置で抽出するステップと、
スクロール画像を抽出する毎に、スクロール画像の抽出位置を前記画像出力装置で更新するステップと、
前記画像出力装置が抽出したスクロール画像を表示モジュールが表示画面に表示するステップと
を有することを特徴とする表示方法。
【請求項４】
画像データ信号、ドットクロック信号、及び前記画像データ信号が有効であることを示すイネーブル信号を含む画像信号を出力する画像出力装置と、画像信号に基づく表示画像を表示画面に表示する表示モジュールとを用いた表示画像の表示方法において、
前記表示画面よりもサイズが大きく、表示画面に表示する第１画像と表示画面に表示する第２画像を抽出するための抽出用画像とを含む表示用画像を、前記画像出力装置で作成するステップと、
抽出用画像上の第２画像抽出領域を、前記画像出力装置で指定するステップと、
第２画像抽出領域を除く抽出用画像上の領域に対応するドットクロック信号及び／又はイネーブル信号を、前記画像出力装置で無効化するステップと
を有することを特徴とする表示方法。
【請求項５】
画像データ信号を出力する画像出力モジュールと、画像データ信号に基づく表示画像を表示画面に表示する表示装置とを用いた表示画像の表示方法において、
前記表示画面よりもサイズが大きい表示用画像を、前記画像出力モジュールで作成するステップと、
前記画像出力モジュールが作成した表示用画像から前記表示画面のサイズに応じたスクロール画像を前記表示装置で抽出するステップと、
スクロール画像を抽出する毎にスクロール画像の抽出位置を前記表示装置で更新するステップと、
抽出したスクロール画像を前記表示装置が表示画面に表示するステップと
を有することを特徴とする表示方法。
【請求項６】
画像データ信号、ドットクロック信号、及び前記画像データ信号が有効であることを示すイネーブル信号を含む画像信号を出力する画像出力モジュールと、画像信号に基づく表示画像を表示画面に表示する表示装置とを用いた表示画像の表示方法において、
前記表示画面よりもサイズが大きく、表示画面に表示する第１画像と表示画面に表示する第２画像を抽出するための抽出用画像とを含む表示用画像を、前記画像出力モジュールで作成するステップと、
抽出用画像上の第２画像抽出領域を、前記表示装置で指定するステップと、
第２画像抽出領域を除く抽出用画像上の領域に対応するドットクロック信号及び／又はイネーブル信号を、前記表示装置で無効化するステップと
を有することを特徴とする表示方法。
【請求項７】
前記画像信号には垂直同期信号が含まれており、
前記指定するステップは、抽出用画像上を移動するように垂直同期信号の時間間隔で第２画像抽出領域を指定し、
第２画像抽出領域の移動量が所定量に達する都度、更新要求を前記インターフェース装置又は前記表示装置から前記画像出力モジュールに送信するステップと、
更新要求に応じて、抽出用画像を画像出力モジュールで更新するステップと
を有することを特徴とする請求項２又は６記載の表示方法。
【請求項８】
前記画像信号には垂直同期信号が含まれており、
前記指定するステップは、抽出用画像上を移動するように垂直同期信号の時間間隔で第２画像抽出領域を指定し、
第２画像抽出領域の移動量が所定量に達する都度、抽出用画像を画像出力装置で更新するステップを有することを特徴とする請求項４記載の表示方法。
【請求項９】
画像データ信号及び水平同期信号を含む画像信号を出力する画像出力モジュールと、画像信号に基づく表示画像を表示画面に表示する表示モジュールと、前記画像出力モジュール及び前記表示モジュール間に接続されたインターフェース装置とを用いた表示画像の表示方法において、
前記表示画面よりもサイズが大きく、表示画面に表示する第１画像と表示画面に表示する第２画像を抽出するための抽出用画像とを含む表示用画像を、前記画像出力モジュールで作成するステップと、
抽出用画像上の第２画像抽出領域を前記インターフェース装置で指定するステップと、
第１画像及び指定した第２画像抽出領域に対応する画像データ信号が有効であることを示すイネーブル信号を前記インターフェース装置で生成するステップと、
生成したイネーブル信号を前記インターフェース装置から前記表示モジュールに出力するステップと
を有することを特徴とする表示方法。
【請求項１０】
画像データ信号及び水平同期信号を含む画像信号を出力する画像出力モジュールと、画像信号に基づく表示画像を表示画面に表示する表示装置とを用いた表示画像の表示方法において、
前記表示画面よりもサイズが大きく、表示画面に表示する第１画像と表示画面に表示する第２画像を抽出するための抽出用画像とを含む表示用画像を、前記画像出力モジュールで作成するステップと、
抽出用画像上の第２画像抽出領域を、前記表示装置で指定するステップと、
第１画像及び指定した第２画像抽出領域に対応する画像データ信号が有効であることを示すイネーブル信号を前記表示装置で生成するステップと
を有することを特徴とする表示方法。
【請求項１１】
水平同期信号に基づいて、前記インターフェース装置又は前記表示装置でドットクロック信号を生成するステップを有することを特徴とする請求項９又は１０記載の表示方法。
【請求項１２】
画像データ信号、ドットクロック信号、及び前記画像データ信号が有効であることを示すイネーブル信号を含む画像信号を出力する画像出力モジュールと、画像信号に基づく表示画像を表示画面に表示する表示モジュールと、前記画像出力モジュール及び前記表示モジュール間に接続されたインターフェース装置を備えた表示システムにおいて、
前記画像出力モジュールは、前記表示画面よりもサイズが大きく、表示画面に表示する第１画像と表示画面に表示する第２画像を抽出するための抽出用画像とを含む表示用画像を作成する画像作成手段を備え、画像作成手段で作成した表示用画像の画像信号を出力するように構成されており、
前記インターフェース装置は、抽出用画像上の第２画像抽出領域を指定する指定手段と、第２画像抽出領域を除く抽出用画像上の領域に対応するドットクロック信号及び／又はイネーブル信号を無効化する無効化手段とを備えることを特徴とする表示システム。
【請求項１３】
画像データ信号、ドットクロック信号、及び前記画像データ信号が有効であることを示すイネーブル信号を含む画像信号を出力する画像出力装置と、画像信号に基づく表示画像を表示画面に表示する表示モジュールとを備えた表示システムにおいて、
前記画像出力装置は、
前記表示画面よりもサイズが大きく、表示画面に表示する第１画像と表示画面に表示する第２画像を抽出するための抽出用画像とを含む表示用画像を作成する画像作成手段と、
抽出用画像上の第２画像抽出領域を指定する指定手段と、
第２画像抽出領域を除く抽出用画像上の領域に対応するドットクロック信号及び／又はイネーブル信号を無効化する無効化手段と
を備えることを特徴とする表示システム。
【請求項１４】
画像データ信号、ドットクロック信号、及び前記画像データ信号が有効であることを示すイネーブル信号を含む画像信号を出力する画像出力モジュールと、画像信号に基づく表示画像を表示画面に表示する表示装置とを備えた表示システムにおいて、
前記画像出力モジュールは、前記表示画面よりもサイズが大きく、表示画面に表示する第１画像と表示画面に表示する第２画像を抽出するための抽出用画像とを含む表示用画像を作成する画像作成手段を備え、画像作成手段で作成した表示用画像の画像信号を出力するように構成されており、
前記表示装置は、抽出用画像上の第２画像抽出領域を指定する指定手段と、第２画像抽出領域を除く抽出用画像上の領域に対応するドットクロック信号及び／又はイネーブル信号を無効化する無効化手段とを備えることを特徴とする表示システム。
【請求項１５】
前記画像信号には垂直同期信号が含まれており、
前記指定手段は、抽出用画像上を移動するように垂直同期信号の時間間隔で第２画像抽出領域を指定するように構成されており、
前記インターフェース装置又は前記表示装置は、第２画像抽出領域の移動量が所定量に達する都度、更新要求を前記画像出力モジュールに送信する送信手段を備え、
前記画像出力モジュールの画像作成手段は、更新要求に応じて、抽出用画像を更新するように構成されていることを特徴とする請求項１２又は１４記載の表示システム。
【請求項１６】
画像データ信号が有効であることを示すイネーブル信号を含む画像信号を中継するインターフェース装置において、
前記画像データ信号は、第１画像と第２画像を抽出するための抽出用画像とを含む表示用画像の画像データ信号であり、
抽出用画像上の第２画像抽出領域を指定する指定手段と、
第２画像抽出領域を除く抽出用画像上の領域に対応するイネーブル信号を無効化する無効化手段と
を備えることを特徴とするインターフェース装置。
【請求項１７】
ドットクロック信号、及び画像データ信号が有効であることを示すイネーブル信号を含む画像信号を中継するインターフェース装置において、
前記画像データ信号は、第１画像と第２画像を抽出するための抽出用画像とを含む表示用画像の画像データ信号であり、
抽出用画像上の第２画像抽出領域を指定する指定手段と、
第２画像抽出領域を除く抽出用画像上の領域に対応するドットクロック信号及び／又はイネーブル信号を無効化する無効化手段と
を備えることを特徴とするインターフェース装置。
【請求項１８】
前記画像信号には垂直同期信号が含まれており、
前記指定手段は、抽出用画像上を移動するように垂直同期信号の時間間隔で第２画像抽出領域を指定するように構成されており、
第２画像抽出領域の移動量が所定量に達する都度、更新要求を送信する送信手段を備えることを特徴とする請求項１６又は１７記載のインターフェース装置。
【請求項１９】
画像データ信号の水平同期信号が入力されるインターフェース装置において、
前記画像データ信号は、第１画像と第２画像を抽出するための抽出用画像とを含む表示用画像の画像データ信号であり、
抽出用画像上の第２画像抽出領域を指定する指定手段と、
第１画像及び指定手段が指定した第２画像抽出領域に対応する画像データ信号が有効であることを示すイネーブル信号を生成するイネーブル信号生成手段と
を備え、イネーブル信号生成手段で生成したイネーブル信号を出力するように構成されていることを特徴とするインターフェース装置。
【請求項２０】
水平同期信号に基づいて、ドットクロック信号を作成するドットクロック信号生成手段を備えることを特徴とする請求項１９記載のインターフェース装置。
【請求項２１】
画像データ信号、ドットクロック信号、及び前記画像データ信号が有効であることを示すイネーブル信号を含む画像信号を出力する画像出力装置において、
第１画像と第２画像を抽出するための抽出用画像とを含む表示用画像を作成する画像作成手段と、
抽出用画像上の第２画像抽出領域を指定する指定手段と、
第２画像抽出領域を除く抽出用画像上の領域に対応するドットクロック信号及び／又はイネーブル信号を無効化する無効化手段と
を備えることを特徴とする画像出力装置。
【請求項２２】
前記画像信号には垂直同期信号が含まれており、
前記指定手段は、抽出用画像上を移動するように垂直同期信号の時間間隔で第２画像抽出領域を指定するように構成されており、
前記画像作成手段は、第２画像抽出領域の移動量が所定量に達する都度、抽出用画像を更新するように構成されていることを特徴とする請求項２１記載の画像出力装置。
【請求項２３】
画像データ信号、ドットクロック信号、及び前記画像データ信号が有効であることを示すイネーブル信号を含む画像信号に基づく表示画像を表示画面に表示する表示装置において、
前記画像データ信号は、前記表示画面よりもサイズが大きく、表示画面に表示する第１画像と表示画面に表示する第２画像を抽出するための抽出用画像とを含む表示用画像の画像データ信号であり、
抽出用画像上の第２画像抽出領域を指定する指定手段と、
第２画像抽出領域を除く抽出用画像上の領域に対応するドットクロック信号及び／又はイネーブル信号を無効化する無効化手段と
を備えることを特徴とする表示装置。
【請求項２４】
画像データ信号及び水平同期信号を含む画像信号に基づく表示画像を表示画面に表示する表示装置において、
前記画像データ信号は、前記表示画面よりもサイズが大きく、表示画面に表示する第１画像と表示画面に表示する第２画像を抽出するための抽出用画像とを含む表示用画像の画像データ信号であり、
抽出用画像上の第２画像抽出領域を指定する指定手段と、
第１画像及び指定手段で指定した第２画像抽出領域に対応する画像データ信号が有効であることを示すイネーブル信号を生成するイネーブル信号生成手段と
を備えることを特徴とする表示装置。
【発明の詳細な説明】
【０００１】
【発明の属する技術分野】
本発明は、表示画面の一部分又は全部をスクロールさせる表示方法、表示システム、インターフェース装置、画像出力装置及び表示装置に関する。
【０００２】
【従来の技術】
コンピュータなどの画像出力装置から表示画像の画像データ信号を出力して、表示装置に表示画像を表示する際、表示画面の一部分を移動（スクロール）させる場合がある。図２２（ａ）、（ｂ）にスクロールの例を示す。例えば、表示画像６２の上方に静止画像（第１画像）６２ａを配置し、下方に１行分のテロップ画像（第２画像）６２ｂを配置し、テロップ画像６２ｂを例えば左方向にスクロールさせる場合がある。
【０００３】
図２３にコンピュータ４０及び表示装置５０の概略構成を示す。コンピュータ４０は、プログラムが記憶される記憶部４４、プログラムを実行するＣＰＵ４２、表示画像６２が記憶されるビデオメモリ４８、及び表示画像６２の画像データ信号（ＤＡＴＡ）を含む画像信号を出力する描画処理部４６を備える。表示装置５０は、コンピュータ４０から出力された画像信号に基づく表示画像６２を記憶するフレームメモリ５４、液晶パネルなどの表示パネル５６、及びフレームメモリ５４の表示画像６２を表示パネル５６に表示する表示制御部５２を備える。
【０００４】
ＣＰＵ４２により、例えば図２４（ａ）、（ｂ）に示すように、ビデオメモリ４８の表示画像６２のテロップ画像６２ｂ部分を所定時間間隔で更新し、更新した表示画像６２を表示装置５０に出力して、テロップ画像６２ｂを左方向にスクロールさせる。テロップ画像６２ｂを、表示画像６２にスーパーインポーズ表示して、表示画面６２上をスクロールさせることも可能である（例えば、特許文献１参照）。
【０００５】
【特許文献１】
特開平８−１０７５５２号公報
【０００６】
【発明が解決しようとする課題】
テロップ画像６２ｂの更新は、ＣＰＵ４２で実行される更新プログラムによって行われ、更新処理が実行される毎に、テロップ画像６２ｂを更新した表示画像６２の画像信号が表示装置５０に出力される。更新処理は、所定時間間隔で実行されるが、ＣＰＵ４２は表示画面の垂直同期信号（Ｖｓｙｎｃ）などの同期信号と同期を取っておらず、更新処理の実行間隔は正確さに欠ける。また、ＣＰＵ４２は、更新処理以外の各種処理も並列的に実行しているため、例えば優先順位の高い処理の実行により、更新処理の実行が遅れる場合がある。
【０００７】
更新処理の時間間隔が正確でなく、また、他の処理の影響によって更新処理の実行が遅れる場合があるため、テロップ画像６２ｂのスクロールがちらつくという問題がある。また、表示画像６２のテロップ画像６２ｂ部分を常に更新し続ける必要があるため、ＣＰＵ４２の負荷が増加し、他の処理の実行速度を低下させる場合がある。
【０００８】
本発明は斯かる事情に鑑みてなされたものであり、表示画面の一部に表示される第２画像を変更する時間間隔が正確であり、ちらつきの無いスムーズなスクロールを行うことが可能な表示方法、表示システム、インターフェース装置、画像出力装置及び表示装置を提供することを目的とする。
【０００９】
また、本発明は、表示画面の一部に表示される第２画像の表示変更を低負荷で行うことが可能な表示方法、表示システム、インターフェース装置、画像出力装置及び表示装置を提供することを他の目的とする。
【００１０】
また、本発明は、イネーブル信号の無効化が表示モジュールに及ぼす影響を最小限に抑えることが可能な表示方法及びインターフェース装置を提供することを他の目的とする。
【００１１】
【課題を解決するための手段】
第１発明に係る表示方法は、画像データ信号を出力する画像出力モジュールと、画像データ信号に基づく表示画像を表示画面に表示する表示モジュールと、前記画像出力モジュール及び前記表示モジュール間に接続されたインターフェース装置とを用いた表示画像の表示方法において、前記表示画面よりもサイズが大きい表示用画像を、前記画像出力モジュールで作成するステップと、前記画像出力モジュールが作成した表示用画像から前記表示画面のサイズに応じたスクロール画像を前記インターフェース装置で抽出するステップと、スクロール画像を抽出する毎に、スクロール画像の抽出位置を前記インターフェース装置で更新するステップと、前記インターフェース装置が抽出したスクロール画像を表示モジュールが表示画面に表示するステップとを有することを特徴とする。
【００１２】
第２発明に係る表示方法は、画像データ信号、ドットクロック信号、及び前記画像データ信号が有効であることを示すイネーブル信号を含む画像信号を出力する画像出力モジュールと、画像信号に基づく表示画像を表示画面に表示する表示モジュールと、前記画像出力モジュール及び前記表示モジュール間に接続されたインターフェース装置とを用いた表示画像の表示方法において、前記表示画面よりもサイズが大きく、表示画面に表示する第１画像と表示画面に表示する第２画像を抽出するための抽出用画像とを含む表示用画像を、前記画像出力モジュールで作成するステップと、抽出用画像上の第２画像抽出領域を、前記インターフェース装置で指定するステップと、第２画像抽出領域を除く抽出用画像上の領域に対応するドットクロック信号及び／又はイネーブル信号を、前記インターフェース装置で無効化するステップとを有することを特徴とする。
【００１３】
第３発明に係る表示方法は、画像データ信号を出力する画像出力装置と、画像データ信号に基づく表示画像を表示画面に表示する表示モジュールとを用いた表示画像の表示方法において、前記表示画面よりもサイズが大きい表示用画像を、前記画像出力装置で作成するステップと、作成した表示用画像から前記表示画面のサイズに応じたスクロール画像を前記画像出力装置で抽出するステップと、スクロール画像を抽出する毎に、スクロール画像の抽出位置を前記画像出力装置で更新するステップと、前記画像出力装置が抽出したスクロール画像を表示モジュールが表示画面に表示するステップとを有することを特徴とする。
【００１４】
第４発明に係る表示方法は、画像データ信号、ドットクロック信号、及び前記画像データ信号が有効であることを示すイネーブル信号を含む画像信号を出力する画像出力装置と、画像信号に基づく表示画像を表示画面に表示する表示モジュールとを用いた表示画像の表示方法において、前記表示画面よりもサイズが大きく、表示画面に表示する第１画像と表示画面に表示する第２画像を抽出するための抽出用画像とを含む表示用画像を、前記画像出力装置で作成するステップと、抽出用画像上の第２画像抽出領域を、前記画像出力装置で指定するステップと、第２画像抽出領域を除く抽出用画像上の領域に対応するドットクロック信号及び／又はイネーブル信号を、前記画像出力装置で無効化するステップとを有することを特徴とする。
【００１５】
第５発明に係る表示方法は、画像データ信号を出力する画像出力モジュールと、画像データ信号に基づく表示画像を表示画面に表示する表示装置とを用いた表示画像の表示方法において、前記表示画面よりもサイズが大きい表示用画像を、前記画像出力モジュールで作成するステップと、前記画像出力モジュールが作成した表示用画像から前記表示画面のサイズに応じたスクロール画像を前記表示装置で抽出するステップと、スクロール画像を抽出する毎にスクロール画像の抽出位置を前記表示装置で更新するステップと、抽出したスクロール画像を前記表示装置が表示画面に表示するステップとを有することを特徴とする。
【００１６】
第６発明に係る表示方法は、画像データ信号、ドットクロック信号、及び前記画像データ信号が有効であることを示すイネーブル信号を含む画像信号を出力する画像出力モジュールと、画像信号に基づく表示画像を表示画面に表示する表示装置とを用いた表示画像の表示方法において、前記表示画面よりもサイズが大きく、表示画面に表示する第１画像と表示画面に表示する第２画像を抽出するための抽出用画像とを含む表示用画像を、前記画像出力モジュールで作成するステップと、抽出用画像上の第２画像抽出領域を、前記表示装置で指定するステップと、第２画像抽出領域を除く抽出用画像上の領域に対応するドットクロック信号及び／又はイネーブル信号を、前記表示装置で無効化するステップとを有することを特徴とする。
【００１７】
第７発明に係る表示方法は、第２又は第６発明において、前記画像信号には垂直同期信号が含まれており、前記指定するステップは、抽出用画像上を移動するように垂直同期信号の時間間隔で第２画像抽出領域を指定し、第２画像抽出領域の移動量が所定量に達する都度、更新要求を前記インターフェース装置又は前記表示装置から前記画像出力モジュールに送信するステップと、更新要求に応じて、抽出用画像を画像出力モジュールで更新するステップとを有することを特徴とする。
【００１８】
第８発明に係る表示方法は、第４発明において、前記画像信号には垂直同期信号が含まれており、前記指定するステップは、抽出用画像上を移動するように垂直同期信号の時間間隔で第２画像抽出領域を指定し、第２画像抽出領域の移動量が所定量に達する都度、抽出用画像を画像出力装置で更新するステップを有することを特徴とする。
【００１９】
第９発明に係る表示方法は、画像データ信号及び水平同期信号を含む画像信号を出力する画像出力モジュールと、画像信号に基づく表示画像を表示画面に表示する表示モジュールと、前記画像出力モジュール及び前記表示モジュール間に接続されたインターフェース装置とを用いた表示画像の表示方法において、前記表示画面よりもサイズが大きく、表示画面に表示する第１画像と表示画面に表示する第２画像を抽出するための抽出用画像とを含む表示用画像を、前記画像出力モジュールで作成するステップと、抽出用画像上の第２画像抽出領域を前記インターフェース装置で指定するステップと、第１画像及び指定した第２画像抽出領域に対応する画像データ信号が有効であることを示すイネーブル信号を前記インターフェース装置で生成するステップと、生成したイネーブル信号を前記インターフェース装置から前記表示モジュールに出力するステップとを有することを特徴とする。
【００２０】
第１０発明に係る表示方法は、画像データ信号及び水平同期信号を含む画像信号を出力する画像出力モジュールと、画像信号に基づく表示画像を表示画面に表示する表示装置とを用いた表示画像の表示方法において、前記表示画面よりもサイズが大きく、表示画面に表示する第１画像と表示画面に表示する第２画像を抽出するための抽出用画像とを含む表示用画像を、前記画像出力モジュールで作成するステップと、抽出用画像上の第２画像抽出領域を、前記表示装置で指定するステップと、第１画像及び指定した第２画像抽出領域に対応する画像データ信号が有効であることを示すイネーブル信号を前記表示装置で生成するステップとを有することを特徴とする。
【００２１】
第１１発明に係る表示方法は、第９又は第１０発明において、水平同期信号に基づいて、前記インターフェース装置又は前記表示装置でドットクロック信号を生成するステップを有することを特徴とする。
【００２２】
第１２発明に係る表示システムは、画像データ信号、ドットクロック信号、及び前記画像データ信号が有効であることを示すイネーブル信号を含む画像信号を出力する画像出力モジュールと、画像信号に基づく表示画像を表示画面に表示する表示モジュールと、前記画像出力モジュール及び前記表示モジュール間に接続されたインターフェース装置を備えた表示システムにおいて、前記画像出力モジュールは、前記表示画面よりもサイズが大きく、表示画面に表示する第１画像と表示画面に表示する第２画像を抽出するための抽出用画像とを含む表示用画像を作成する画像作成手段を備え、画像作成手段で作成した表示用画像の画像信号を出力するように構成されており、前記インターフェース装置は、抽出用画像上の第２画像抽出領域を指定する指定手段と、第２画像抽出領域を除く抽出用画像上の領域に対応するドットクロック信号及び／又はイネーブル信号を無効化する無効化手段とを備えることを特徴とする。
【００２３】
第１３発明に係る表示システムは、画像データ信号、ドットクロック信号、及び前記画像データ信号が有効であることを示すイネーブル信号を含む画像信号を出力する画像出力装置と、画像信号に基づく表示画像を表示画面に表示する表示モジュールとを備えた表示システムにおいて、前記画像出力装置は、前記表示画面よりもサイズが大きく、表示画面に表示する第１画像と表示画面に表示する第２画像を抽出するための抽出用画像とを含む表示用画像を作成する画像作成手段と、抽出用画像上の第２画像抽出領域を指定する指定手段と、第２画像抽出領域を除く抽出用画像上の領域に対応するドットクロック信号及び／又はイネーブル信号を無効化する無効化手段とを備えることを特徴とする。
【００２４】
第１４発明に係る表示システムは、画像データ信号、ドットクロック信号、及び前記画像データ信号が有効であることを示すイネーブル信号を含む画像信号を出力する画像出力モジュールと、画像信号に基づく表示画像を表示画面に表示する表示装置とを備えた表示システムにおいて、前記画像出力モジュールは、前記表示画面よりもサイズが大きく、表示画面に表示する第１画像と表示画面に表示する第２画像を抽出するための抽出用画像とを含む表示用画像を作成する画像作成手段を備え、画像作成手段で作成した表示用画像の画像信号を出力するように構成されており、前記表示装置は、抽出用画像上の第２画像抽出領域を指定する指定手段と、第２画像抽出領域を除く抽出用画像上の領域に対応するドットクロック信号及び／又はイネーブル信号を無効化する無効化手段とを備えることを特徴とする。
【００２５】
第１５発明に係る表示システムは、第１２又は第１４発明において、前記画像信号には垂直同期信号が含まれており、前記指定手段は、抽出用画像上を移動するように垂直同期信号の時間間隔で第２画像抽出領域を指定するように構成されており、前記インターフェース装置又は前記表示装置は、第２画像抽出領域の移動量が所定量に達する都度、更新要求を前記画像出力モジュールに送信する送信手段を備え、前記画像出力モジュールの画像作成手段は、更新要求に応じて、抽出用画像を更新するように構成されていることを特徴とする。
【００２６】
第１６発明に係るインターフェース装置は、画像データ信号が有効であることを示すイネーブル信号を含む画像信号を中継するインターフェース装置において、前記画像データ信号は、第１画像と第２画像を抽出するための抽出用画像とを含む表示用画像の画像データ信号であり、抽出用画像上の第２画像抽出領域を指定する指定手段と、第２画像抽出領域を除く抽出用画像上の領域に対応するイネーブル信号を無効化する無効化手段とを備えることを特徴とする。
【００２７】
第１７発明に係るインターフェース装置は、ドットクロック信号、及び画像データ信号が有効であることを示すイネーブル信号を含む画像信号を中継するインターフェース装置において、前記画像データ信号は、第１画像と第２画像を抽出するための抽出用画像とを含む表示用画像の画像データ信号であり、抽出用画像上の第２画像抽出領域を指定する指定手段と、第２画像抽出領域を除く抽出用画像上の領域に対応するドットクロック信号及び／又はイネーブル信号を無効化する無効化手段とを備えることを特徴とする。
【００２８】
第１８発明に係るインターフェース装置は、第１６又は第１７発明において、前記画像信号には垂直同期信号が含まれており、前記指定手段は、抽出用画像上を移動するように垂直同期信号の時間間隔で第２画像抽出領域を指定するように構成されており、第２画像抽出領域の移動量が所定量に達する都度、更新要求を送信する送信手段を備えることを特徴とする。
【００２９】
第１９発明に係るインターフェース装置は、画像データ信号の水平同期信号が入力されるインターフェース装置において、前記画像データ信号は、第１画像と第２画像を抽出するための抽出用画像とを含む表示用画像の画像データ信号であり、抽出用画像上の第２画像抽出領域を指定する指定手段と、第１画像及び指定手段が指定した第２画像抽出領域に対応する画像データ信号が有効であることを示すイネーブル信号を生成するイネーブル信号生成手段とを備え、イネーブル信号生成手段で生成したイネーブル信号を出力するように構成されていることを特徴とする。
【００３０】
第２０発明に係るインターフェース装置は、第１９発明において、水平同期信号に基づいて、ドットクロック信号を作成するドットクロック信号生成手段を備えることを特徴とする。
【００３１】
第２１発明に係る画像出力装置は、画像データ信号、ドットクロック信号、及び前記画像データ信号が有効であることを示すイネーブル信号を含む画像信号を出力する画像出力装置において、第１画像と第２画像を抽出するための抽出用画像とを含む表示用画像を作成する画像作成手段と、抽出用画像上の第２画像抽出領域を指定する指定手段と、第２画像抽出領域を除く抽出用画像上の領域に対応するドットクロック信号及び／又はイネーブル信号を無効化する無効化手段とを備えることを特徴とする。
【００３２】
第２２発明に係る画像出力装置は、第２１発明において、前記画像信号には垂直同期信号が含まれており、前記指定手段は、抽出用画像上を移動するように垂直同期信号の時間間隔で第２画像抽出領域を指定するように構成されており、前記画像作成手段は、第２画像抽出領域の移動量が所定量に達する都度、抽出用画像を更新するように構成されていることを特徴とする。
【００３３】
第２３発明に係る表示装置は、画像データ信号、ドットクロック信号、及び前記画像データ信号が有効であることを示すイネーブル信号を含む画像信号に基づく表示画像を表示画面に表示する表示装置において、前記画像データ信号は、前記表示画面よりもサイズが大きく、表示画面に表示する第１画像と表示画面に表示する第２画像を抽出するための抽出用画像とを含む表示用画像の画像データ信号であり、抽出用画像上の第２画像抽出領域を指定する指定手段と、第２画像抽出領域を除く抽出用画像上の領域に対応するドットクロック信号及び／又はイネーブル信号を無効化する無効化手段とを備えることを特徴とする。
【００３４】
第２４発明に係る表示装置は、画像データ信号及び水平同期信号を含む画像信号に基づく表示画像を表示画面に表示する表示装置において、前記画像データ信号は、前記表示画面よりもサイズが大きく、表示画面に表示する第１画像と表示画面に表示する第２画像を抽出するための抽出用画像とを含む表示用画像の画像データ信号であり、抽出用画像上の第２画像抽出領域を指定する指定手段と、第１画像及び指定手段で指定した第２画像抽出領域に対応する画像データ信号が有効であることを示すイネーブル信号を生成するイネーブル信号生成手段とを備えることを特徴とする。
【００３５】
第１，第２、第１２、第１６又は第１７発明においては、表示画面よりもサイズが大きく、表示画面に表示する第１画像と表示画面に表示する第２画像を抽出するための抽出用画像とを含む表示用画像を、画像出力モジュールで作成する。画像出力モジュール及び表示モジュールに接続されたインターフェース装置で抽出用画像上の第２画像抽出領域を指定し、さらに第２画像抽出領域を除く抽出用画像上の領域に対応するドットクロック信号及び／又はイネーブル信号（第１６発明の場合はイネーブル信号）を無効化する。抽出用画像のうち、第２画像抽出領域に対応するドットクロック信号及び／又はイネーブル信号（第１６発明の場合はイネーブル信号）のみが有効となり、第１画像及び第２画像が表示画面に表示される。第２画像抽出領域を抽出用画像内で移動させることにより、表示画面の第２画像をスクロールさせることが可能である。ドットクロック信号を無効化した場合、イネーブル信号の状態によらず、表示は行われない。また、ドットクロック信号及びイネーブル信号を無効化した場合、表示モジュール側は休止状態のようになり、イネーブル信号の無効化が表示モジュールに及ぼす影響を最小限に抑えることが可能である。
【００３６】
第３，第４、第１３又は第２１発明においては、表示画面よりもサイズが大きく、表示画面に表示する第１画像と表示画面に表示する第２画像を抽出するための抽出用画像とを含む表示用画像を、画像出力装置で作成すると共に、抽出用画像上の第２画像抽出領域を画像出力装置で指定し、指定した第２画像抽出領域を除く抽出用画像上の領域に対応するドットクロック信号及び／又はイネーブル信号を無効化する。抽出用画像のうち、第２画像抽出領域に対応するドットクロック信号及び／又はイネーブル信号のみが有効となり、第１画像及び第２画像が表示画面に表示される。第２画像抽出領域を抽出用画像内で移動させることにより、表示画面の第２画像をスクロールさせることが可能である。
【００３７】
第５，第６、第１４又は第２３発明においては、表示画面よりもサイズが大きく、表示画面に表示する第１画像と表示画面に表示する第２画像を抽出するための抽出用画像とを含む表示用画像を、画像出力モジュールで作成する。画像出力モジュールに接続された表示装置で抽出用画像上の第２画像抽出領域を指定し、第２画像抽出領域を除く抽出用画像上の領域に対応するドットクロック信号及び／又はイネーブル信号を無効化する。抽出用画像のうち、第２画像抽出領域に対応するドットクロック信号及び／又はイネーブル信号のみが有効となり、第１画像及び第２画像が表示画面に表示される。第２画像抽出領域を抽出用画像内で移動させることにより、表示画面の第２画像をスクロールさせることが可能である。
【００３８】
第７，第１５又は第１８発明においては、画像信号には垂直同期信号が含まれており、抽出用画像上を移動するように垂直同期信号の時間間隔で第２画像抽出領域を指定する。第２画像抽出領域の移動量が所定量に達する都度、更新要求を表示装置又はインターフェース装置から画像出力モジュールに送信する。画像出力モジュールは、更新要求に応じて、抽出用画像を更新する。例えば、第２画像が所定量スクロールする毎に更新要求を行い、抽出用画像のスクロールが済んだ部分を更新する。抽出用画像のうち、スクロールが済んで表示する必要の無い部分の画像を、所定量のスクロールが行われている間に更新しておく。
【００３９】
第８又は第２２発明においては、画像信号には垂直同期信号が含まれており、抽出用画像上を移動するように垂直同期信号の時間間隔で第２画像抽出領域を指定する。第２画像抽出領域の移動量が所定量に達する都度、抽出用画像を画像出力装置で更新する。例えば、第２画像が所定量スクロールする毎に、抽出用画像のスクロールが済んだ部分の更新を行う。抽出用画像のうち、スクロールが済んで表示する必要の無い部分の画像を、所定量のスクロールが行われている間に更新しておく。
【００４０】
第９、第１１、第１９又は第２０発明においては、表示画面よりもサイズが大きく、表示画面に表示する第１画像と表示画面に表示する第２画像を抽出するための抽出用画像とを含む表示用画像を、画像出力モジュールで作成する。画像出力モジュール及び表示モジュールに接続されたインターフェース装置で抽出用画像上の第２画像抽出領域を指定し、第１画像及び第２画像抽出領域に対応する画像データ信号が有効であることを示すイネーブル信号を生成する。生成したイネーブル信号は表示モジュールに送られ、第１画像及び第２画像が表示画面に表示される。また、イネーブル信号と同様に、第１画像及び第２画像抽出領域に対応するドットクロック信号を生成することも可能である。
【００４１】
第１０、第１１又は第２４発明においては、表示画面よりもサイズが大きく、表示画面に表示する第１画像と表示画面に表示する第２画像を抽出するための抽出用画像とを含む表示用画像を、画像出力モジュールで作成する。画像出力モジュールに接続された表示装置で抽出用画像上の第２画像抽出領域を指定し、第１画像及び第２画像抽出領域に対応する画像データ信号が有効であることを示すイネーブル信号を生成する。表示装置は、作成したイネーブル信号に基づいて、第１画像及び第２画像を表示画面に表示する。また、イネーブル信号と同様に、第１画像及び第２画像抽出領域に対応するドットクロック信号を生成することも可能である。
【００４２】
【発明の実施の形態】
以下、本発明をその実施の形態を示す図面に基づいて具体的に説明する。
図１に本発明に係るインターフェース装置（クリッピング装置）を備えた表示システムの例を示す。本説明においては、コンピュータ４０（画像出力モジュール）及び表示装置（表示モジュール）５０間に、クリッピング装置１０が接続されている。
【００４３】
コンピュータ４０は、ＲＡＭ（Random Access Memory）又はハードディスクなどの記憶部４４と、記憶部４４に記憶されているＯＳ（Operating System）又はアプリケーションなどを実行するＣＰＵ（Central Processing Unit）４２と、表示装置５０の表示画面（表示画像）よりもサイズの大きな表示用画像６０が記憶されるビデオメモリ４８と、ビデオメモリ４８に記憶されている表示用画像６０の画像データ信号を含む画像信号を出力する描画処理部４６と、ＵＳＢ（Universal Serial Bus）ケーブルなどが接続される外部接続部４９とを備える。前記画像信号には、画像データ信号（ＤＡＴＡ），イネーブル信号（データイネーブル信号ＤＥｉ），ドットクロック信号（ＣＬＫｉ），水平同期信号（Ｈｓｙｎｃ），及び垂直同期信号（Ｖｓｙｎｃ）などが含まれる。
【００４４】
表示装置５０は、コンピュータ４０から出力された画像信号に基づく表示用画像６０が記憶されるフレームメモリ５４と、液晶パネルなどの表示パネル５６と、画像信号に基づく表示画像６０ｓを表示パネル５６に表示する表示制御部５２とを備える。コンピュータ４０及び表示装置５０は画像信号を伝送する接続ケーブルで接続される。
【００４５】
図２（ａ）にコンピュータ４０のビデオメモリ４８に記憶される表示用画像６０の例を示し、図２（ｂ）に表示装置５０の表示画面に表示される表示画像６０ｓと表示用画像６０とのサイズの違いの例を示す。表示用画像６０は、図２（ａ）、（ｂ）に示すように、例えば、表示画像６０ｓに比べて垂直方向のサイズが小さい領域Ａ１と、領域Ａ１の右側に接し、垂直方向のサイズが領域Ａ１と等しい領域Ａ２と、領域Ａ１及びＡ２の下側に接する領域Ａ３と、領域Ａ３の下側に接する領域Ａ４に分かれている。
【００４６】
例えば、表示画像６０ｓ（表示画面）の解像度が１０２４×７６８［ドット］（ＸＧＡ）の場合、表示用画像６０の解像度を１２８０×１０２４［ドット］（ＳＸＧＡ）にすることが可能である。この場合、例えば領域Ａ１を１０２４×６８８［ドット］、領域Ａ２を２５６×６８８［ドット］、領域Ａ３を１２８０×３２０［ドット］、領域Ａ４を１２８０×１６［ドット］にすることが可能である。また、領域Ａ３を、１２８０×８０［ドット］の４つの領域に分けることが可能である。
【００４７】
ここで、領域Ａ３が１２８０×３３６［ドット］（１２８０×８４［ドット］×４）の場合、表示用画像６０は、３つの領域Ａ１、Ａ２、Ａ３に分けられる。領域Ａ３及び領域Ａ４の分け方は任意である。表示用画像６０は、ＣＰＵ４２（画像作成手段）によって作成及び更新される。
【００４８】
図３（ａ）に表示用画像６０の例を示す。本説明においては、表示用画像６０の領域Ａ１には静止画像（第１画像）が含まれ、領域Ａ３には４行の文字画像（抽出用画像）が含まれ、領域Ａ２及びＡ４には画像が含まれていない。表示画像６０ｓは、領域Ａ１の静止画像（以下、標準画像）６０ａと、領域Ａ３上で指定されたクリッピング領域（第２画像抽出領域）を抽出したテロップ画像（第２画像）６０ｂとから構成することが可能である。ただし、本説明では、クリッピング領域のサイズは１０２４×８０［ドット］である。また、標準画像６０ａは任意の画像を表示することが可能である。
【００４９】
図４に、クリッピング装置１０の例を示す。クリッピング装置１０は、コンピュータ４０からＨｓｙｎｃ，Ｖｓｙｎｃ，ＣＬＫｉ及びＤＥｉが入力され、Ｈｓｙｎｃ，Ｖｓｙｎｃ，ＣＬＫｏ及びＤＥｏを表示装置５０に出力する。画像データ信号（ＤＡＴＡ）はクリッピング装置１０に入力する必要は無いが、画像信号を伝送するケーブルでコンピュータ４０とクリッピング装置１０との間及びクリッピング装置１０と表示装置５０との間を夫々接続し、画像データ信号（ＤＡＴＡ）をスルー出力することが可能である。
【００５０】
クリッピング装置１０は、Ｈｓｙｎｃ，ＣＬＫｉ及びＤＥｉが入力され、表示用画像６０の水平方向の１ライン分のドット数（Ｈｃ）をカウントするＨカウンタ１２と、Ｈｓｙｎｃ，Ｖｓｙｎｃ及びＣＬＫｉが入力され、表示用画像６０の垂直方向のライン数（Ｖｃ）をカウントするＶカウンタ２２と、Ｖｓｙｎｃ及びＶカウンタ２２のカウント値（Ｖｃ）が入力され、６８９≦Ｖｃ≦１００８（領域Ａ３）の場合はクリッピング領域の水平方向の両端に対応するドット数Ｈｃ１、Ｈｃ２（Ｈｃ１≦Ｈｃ２）を指定するＨ領域指定部（指定手段）１４とを備える。
【００５１】
Ｈカウンタ１２のカウント値（Ｈｃ）はＨ比較部１６に入力される。また、Ｈ領域指定部１４の指定値（Ｈｃ１、Ｈｃ２）が、６８９≦Ｖｃ≦１００８の場合、Ｈ比較部１６に入力される。Ｈ比較部１６は、６８９≦Ｖｃ≦１００８の場合、ＨｃとＨｃ１との比較及びＨｃとＨｃ２との比較を行う。Ｈ比較部１６の出力信号は、Ｖｃ≦６８８又は１００９≦Ｖｃの場合はカウント値Ｈｃに関係無く“Ｈ”であり、６８９≦Ｖｃ≦１００８の場合はＨｃ１≦Ｈｃ≦Ｈｃ２のときに“Ｈ”である。また、Ｈ領域指定部１４は、Ｈｃ２が１２８０に達した場合、行端通知を後述するＶ領域指定部２４及び更新要求部３６に出力する。
【００５２】
クリッピング装置１０は、また、行端通知及びＶカウンタ２２のカウント値（Ｖｃ）が入力され、６８９≦Ｖｃ≦１００８の場合は、クリッピング領域の垂直方向の両端に対応するライン数Ｖｃ１、Ｖｃ２（Ｖｃ１≦Ｖｃ２）を指定するＶ領域指定部（指定手段）２４と、Ｖカウンタ２２のカウント値（Ｖｃ）及びＶ領域指定部２４の指定値（Ｖｃ１、Ｖｃ２）が入力されるＶ比較部２６とを備える。Ｖ比較部２６は、６８９≦Ｖｃ≦１００８の場合にＶ領域指定部２４から指定値（Ｖｃ１、Ｖｃ２）が入力され、ＶｃとＶｃ１との比較及びＶｃとＶｃ２との比較を行う。Ｖ比較部２６の出力信号は、Ｖｃ≦６８８又は１００９≦Ｖｃの場合はカウント値Ｖｃに関係無く“Ｈ”であり、６８９≦Ｖｃ≦１００８の場合はＶｃ１≦Ｖｃ≦Ｖｃ２のときに“Ｈ”である。また、Ｖ領域指定部２４は、Ｈ領域指定部１４から行端通知を受取った場合、次回のクリッピング領域の指定位置を１行（８０ドット）下げ、１行下げた後の指定値Ｖｃ２を後述する更新要求部３６に出力する。
【００５３】
コンピュータ４０から出力されたＣＬＫｉとＨ比較部１６の出力信号とＶ比較部２６の出力信号とは、クリッピング装置１０のＣＬＫ出力ＡＮＤ回路３２に入力され、ドットクロック信号ＣＬＫｏを表示装置５０に出力する。また、コンピュータ４０から出力されたＤＥｉとＨ比較部１６の出力信号とＶ比較部２６の出力信号とは、クリッピング装置１０のＤＥ出力ＡＮＤ回路３４に入力され、データイネーブル信号ＤＥｏを表示装置５０に出力する。
【００５４】
ＣＬＫｉ及びＤＥｉは、Ｈ比較部１６及びＶ比較部２６の出力信号が共に“Ｈ”の場合に、ＣＬＫ出力ＡＮＤ回路３２及びＤＥ出力ＡＮＤ回路３４により、ＣＬＫｏ及びＤＥｏとしてそのまま出力される。逆に、ＣＬＫｉ及びＤＥｉは、Ｈ比較部１６及びＶ比較部２６の出力信号の一方又は両方が“Ｌ”の場合は、ＣＬＫ出力ＡＮＤ回路３２及びＤＥ出力ＡＮＤ回路３４（無効化手段）により、無効化（ＣＬＫｏ＝“Ｌ”、ＤＥｏ＝“Ｌ”）される。
【００５５】
本説明においては、クリッピング領域を除く領域Ａ３のＣＬＫｉ及びＤＥｉが無効化され、クリッピング領域のＣＬＫｉ及びＤＥｉはそのまま表示装置５０に出力される。また、領域Ａ２及び領域Ａ４には元から画像データ信号が含まれていないため、領域Ａ１の標準画像６０ａと領域Ａ３のクリッピング領域のテロップ画像６０ｂとが、表示装置５０の表示画面に表示される。図３（ｂ）に、表示画面に表示される表示画像６０ｓの例を示す。Ｈ領域指定部１４及びＶ領域指定部２４が領域Ａ３の「ＡＢＣＤＥＦＧＨ」部分にクリッピング領域を指定した場合、表示画面には、領域Ａ１の標準画像６０ａと前記指定されたクリッピング領域（「ＡＢＣＤＥＦＧＨ」）のテロップ画像６０ｂとが表示される。
【００５６】
また、Ｈ領域指定部１４は、Ｖｓｙｎｃが入力される毎に、例えば右方向に１ドット、指定値（Ｈｃ１、Ｈｃ２）をずらす。これにより、表示画面に表示される表示画像６０ｓ内のテロップ画像６０ｂは、左方向に移動（スクロール）する。スクロールスピードは、Ｈ領域指定部１４の指定値Ｈｃ１，Ｈｃ２の増加量で調整可能である。図３（ａ）、（ｂ）の状態からのスクロールの例を図５（ａ）〜（ｄ）に示す。図５（ａ）、（ｃ）は領域Ａ３のクリッピング領域の指定の例を示す図であり、図５（ｂ）、（ｄ）はクリッピング領域のテロップ画像６０ｂの表示の例を示す図である。テロップ画像６０ｂは、図３（ａ）、（ｂ）に示す「ＡＢＣＤＥＦＧＨ」の状態から図５（ａ）、（ｂ）に示す「ＢＣＤＥＦＧＨＩ」の状態にスクロールされ、さらに、図５（ｃ）、（ｄ）に示すように「ＤＥＦＧＨＩＪＫ」の状態にスクロールされる。
【００５７】
図５（ｃ）、（ｄ）に示すように、クリッピング領域が右端（Ｈｃ２＝１２８０）に達した場合、Ｈ領域指定部１４は行端通知をＶ領域指定部２４及び後述する更新通知部３６に出力し、また、次回のクリッピング領域の指定を左端（Ｈｃ１＝１）に戻す。Ｖ領域指定部２４は、行端通知に応じて、次回のクリッピング領域の指定を一行（８０ドット）下げる。ただし、４行目の場合は、１行目に戻る。これにより、図５（ｃ）、（ｄ）に示す１行目の右端にクリッピング領域が達した場合、次の指定では、図６（ａ）、（ｂ）に示すように、２行目の左端にクリッピング領域が移動する。
【００５８】
また、クリッピング装置１０は、Ｈ領域指定部１４から出力された行端通知とＶ領域指定部１４から出力された指定値Ｖｃ２とが入力されると共に、ＵＳＢケーブルでコンピュータ４０と接続された更新要求部３６を備える。更新要求部３６は、行端通知に応じて行ステータスを含む更新要求をコンピュータ４０に出力する。また、更新要求部３６は、指定値Ｖｃ２に応じて行ステータスを更新する。本説明では、表示用画像６０の領域Ａ３（文字画像）の行数は４であるので、行ステータスは、０〜３の範囲で変化する。例えば、図５（ｃ）、（ｄ）に示すように、クリッピング領域が１行目の右端（Ｈｃ２＝１２８０）に達した場合、行ステータス＝０を含む更新要求が更新要求部（送信手段）３６からコンピュータ４０に送信される。クリッピング装置１０からコンピュータ４０への更新要求の送信は、ＵＳＢケーブルに限定はされず、画像信号を伝送する接続ケーブルを使用することも可能である。
【００５９】
コンピュータ４０は、外部接続部４９で受付けた更新要求をＣＰＵ４２に送り、ＣＰＵ４２により、更新要求の行ステータスに基づいて、表示用画像６０の領域Ａ３の例えば１行目（行ステータス＝０）を更新する。
【００６０】
クリッピング領域を左端から右端に移動させながら行を下げていくことにより、図７（ａ）、（ｂ）に示すように、４行目の右端にクリッピング領域が指定される。図７（ａ）、（ｂ）の例では、領域Ａ３の全領域が表示済みであるため、領域Ａ３を更新する必要がある。コンピュータ４０には、更新要求が送信されており、領域Ａ３の更新はコンピュータ４０のＣＰＵ４２により行われる。
【００６１】
図８（ａ）に、スクロールされる文字列の例を示す。また、図８（ｂ）に、表示用画像６０の領域Ａ３の元となる元画像の例を示す。前記文字列及び前記元画像は記憶部４４に予め記憶されており、記憶部４４に記憶されている元画像を用いて、ＣＰＵ４２により、ビデオメモリ４８に記憶されている表示用画像６０の領域Ａ３を更新する。例えば、図７（ｃ）、（ｄ）に示すように、領域Ａ３の右下から左上にクリッピング領域が移動する場合に、領域Ａ３の文字画像を、元画像の１〜４行目から５〜８行目に更新することが可能である。
【００６２】
クリッピング領域が行端に達する毎に、更新要求部３６からコンピュータ４０に更新要求が送信されるため、ＣＰＵ４２は、領域Ａ３の表示済みの行を１行ずつ又は２行ずつ更新することも可能である。図９（ａ）〜（ｄ）に領域Ａ３の更新の例を示す。図９（ａ）、（ｂ）は領域Ａ３の表示済みの行を１行ずつ更新する例であり、例えば１行目の表示が済んで２行目に改行された場合に、１行目を更新することが可能である。また、図９（ｃ）、（ｄ）は領域Ａ３の表示済みの行を２行ずつ更新する例であり、例えば１行目及び２行目の表示が済んで３行目に改行された場合に、１行目及び２行目を更新することが可能である。例えば、１行目の表示が済んで２行目に改行された場合、１行目の更新は、４行目の表示が済むまでに行えばよい。
【００６３】
次に、本発明に係る表示システムを用いた表示画像の表示について説明する。
図１０にデータイネーブル信号及びドットクロック信号の無効化の手順の例を示す。１２８０×１０２４［ドット］の表示用画像６０の水平方向のドット数ＨｃはＨカウンタ１２でカウントされ、垂直方向のライン数ＶｃはＶカウンタ２２でカウントされる。カウント値Ｈｃ及びＨｃが、ブランキング期間の場合（Ｓ１０：ＹＥＳ）または領域Ａ１（１≦Ｖｃ≦６８８、かつ、１≦Ｈｃ≦１０２４）の場合（Ｓ１０：ＮＯ、Ｓ１２：ＹＥＳ）は、Ｈ比較部１６及びＶ比較部２６の出力信号は“Ｈ”であり、ＣＬＫｉ及びＤＥｉがそのままＣＬＫｏ及びＤＥｏとして出力される（Ｓ１４）。領域Ａ２（１≦Ｖｃ≦６８８、かつ、１０２５≦Ｈｃ）又は領域Ａ４（１００９≦Ｖｃ≦１０２４）の場合（Ｓ１２：ＮＯ、Ｓ１６：ＹＥＳ）は、Ｈ比較部１６及びＶ比較部２６の出力信号は“Ｈ”であり、ＣＬＫｉ及びＤＥｉがそのままＣＬＫｏ及びＤＥｏとして出力される（Ｓ１８）。ただし、領域Ａ２及びＡ４には画像データ信号が含まれておらず、ＤＥｉ＝ＤＥｏ＝“Ｌ”である。
【００６４】
領域Ａ３（６８９≦Ｖｃ≦１００８）の場合、Ｈ領域指定部１４及びＶ領域指定部２４からＨ比較部１６及びＶ比較部２６に指定値Ｈｃ１，Ｈｃ２及び指定値Ｖｃ１，Ｖｃ２が与えられ、Ｈ比較部１６及びＶ比較部２６で夫々カウント値Ｈｃと指定値Ｈｃ１，Ｈｃ２との比較及びカウント値Ｖｃと指定値Ｖｃ１，Ｖｃ２との比較が行われる。クリッピング領域（Ｖｃ１≦Ｖｃ≦Ｖｃ２、かつ、Ｈｃ１≦Ｈｃ≦Ｈｃ２）の場合（Ｓ１６：ＮＯ、Ｓ２０：ＹＥＳ）、Ｈ比較部１６及びＶ比較部２６の出力信号は“Ｈ”であり、ＣＬＫｉ及びＤＥｉがそのままＣＬＫｏ及びＤＥｏとして出力される（Ｓ２２）。クリッピング領域（Ｖｃ１≦Ｖｃ≦Ｖｃ２、かつ、Ｈｃ１≦Ｈｃ≦Ｈｃ２）でないとき（Ｓ２０：ＮＯ）、Ｈ比較部１６及びＶ比較部２６の一方又は両方の出力信号は“Ｌ”であり、ＣＬＫｉ及びＤＥｉは無効化され、ＣＬＫｏ＝“Ｌ”及びＤＥｏ＝“Ｌ”となる（Ｓ２４）。
【００６５】
図１０に示す処理を一画面分（Ｈｃ＝１，Ｖｃ＝１からＨｃ＝１２８０，Ｖｃ＝１０２４まで）繰返すことにより、図３（ａ）、（ｂ）に示したように、標準画像６０ａ及びテロップ画像６０ｂからなる表示画像６０ｓが、表示装置５０の表示画面に表示される。一画面分の処理を行った（Ｖｓｙｎｃが入力された）場合、クリッピング領域の移動及び／又は更新要求の送信を行う。
【００６６】
図１１にクリッピング領域の移動及び更新要求の送信の手順を示す。Ｈｃ２が１２８０の場合（Ｓ３２：ＹＥＳ）、Ｈ領域指定部１４から行端通知がＶ領域指定部２４及び更新要求部３６に出力される。行端通知を受付けた更新要求部３６は、行ステータスを含む更新要求をコンピュータ４０に出力する（Ｓ３４）。この後、Ｖ領域指定部２４により指定値Ｖｃ１及びＶｃ２が更新（１行下に更新）され（Ｓ３６）、更新されたカウンタ値Ｖｃが更新要求部３６に送られ、更新要求部３６の行ステータスが更新される（Ｓ３８）。また、Ｈ領域指定部１４により指定値Ｈｃ１及びＨｃ２が更新（左端に更新）される（Ｓ４０）。Ｈｃ２が１２８０でない場合（Ｓ３２：ＮＯ）、Ｈ領域指定部１４により指定値Ｈｃ１及びＨｃ２が更新（例えば１ドット右に更新）される（Ｓ４０）。
【００６７】
図１２（ａ）、（ｂ）及び図１３（ａ）、（ｂ）に、ＣＬＫｏ及びＤＥｏの一例を示す。図１２（ａ）に示すようにクリッピング領域が１行目（行ステータス＝０）の左端（文字「ＡＢＣＤＥＦＧＨ」）に指定されている場合は、図１２（ｂ）に示すように、領域Ａ２（文字画像）の文字「ＡＢＣＤＥＦＧＨ」（Ｈｃ１≦Ｈｃ≦Ｈｃ２）の部分については、ＣＬＫｏ＝ＣＬＫｉ，ＤＥｏ＝ＤＥｉとなり、文字「ＩＪＫ」（Ｈｃ２≦Ｈｃ）の部分については、ＣＬＫｏ＝“Ｌ”，ＤＥｏ＝“Ｌ”となる。
【００６８】
同様に、図１３（ａ）に示すようにクリッピング領域が１行目（行ステータス＝０）の右端（文字「ＤＥＦＧＨＩＪＫ」）に指定されている場合は、図１３（ｂ）に示すように、領域Ａ２（文字画像）の文字「ＡＢＣ」（Ｈｃ≦Ｈｃ１）の部分については、ＣＬＫｏ＝“Ｌ”，ＤＥｏ＝“Ｌ”となり、文字「ＤＥＦＧＨＩＪＫ」（Ｈｃ１≦Ｈｃ≦Ｈｃ２）の部分については、ＣＬＫｏ＝ＣＬＫｉ，ＤＥｏ＝ＤＥｉとなる。また、Ｈｃ２＝１２８０であるので、更新要求が出力された後、行ステータスが１（２行目）に更新される。
【００６９】
コンピュータ４０側の各行の更新手順の例を図１４及び図１５に示す。本説明においては、各行の右端にクリッピング領域が指定（Ｈｃ２＝１２８０）された場合、更新要求がクリッピング装置１０からコンピュータ４０に送られる。外部接続部４９で受付けた更新要求は、ＣＰＵ４２に送られ、更新要求に含まれる行ステータスに基づいて、表示用画像６０の領域Ａ３の各行が更新される。例えば、図１４に示すように、改行が行われる毎に、表示済みの行をＣＰＵ４２で更新することが可能である。ただし、図１５に示すように、１行目の更新は４行目が終了するまでに行えばよく、２，３，４行目の更新も夫々１，２，３行目が終了するまでに行えばよく、ＣＰＵ４２の使用状況に応じて各行の更新タイミングを柔軟に変化させることが可能である。
【００７０】
本発明では、クリッピング領域を移動させてスクロールを行っているため、表示用画像６０の領域Ａ３（文字画像）を常に更新する必要は無く、ＣＰＵ４２の負荷を低減することが可能である。また、データイネーブル信号ＤＥｉを無効化して、表示用画像６０からテロップ画像６０ｂを抽出しているため、テロップ画像６０ｂの変更タイミングがずれることはなく、ちらつきの無いスムーズなスクロールを行うことが可能である。
【００７１】
データイネーブル信号を無効化することで画像データ信号を無効化できるが、本発明では、データイネーブル信号に加えて、ドットクロック信号も無効化している。ドットクロック信号を無効化しない場合は、データイネーブル信号の無効化が所定期間続いたことにより、表示装置５０側がＶｓｙｎｃと誤認識したり、クロック周波数を誤認識する場合がある。例えば、クリッピング領域が４行目に指定されている場合、標準画像６０ａ（領域Ａ１）の走査が済んでから３行分（８０ドット×３行分）、データイネーブル信号が“Ｌ”の状態が続き、４行目が表示される前にＶｓｙｎｃ（一画面の終了）と誤認識される場合がある。ドットクロック信号を無効化した場合は、表示装置５０側は休止状態のようになり、前記誤認識は生じない。
【００７２】
上述した実施の形態においては、コンピュータ（画像出力モジュール）４０及び表示装置（表示モジュール）５０間にクリッピング装置１０を接続したが、例えば図１６に示すようにクリッピング装置１０をコンピュータ（画像出力装置）４０ａに内蔵させたり、例えば図１７に示すようにクリッピング装置１０を表示装置５０ａに内蔵させることが可能である。
【００７３】
また、上述した実施の形態においては、１０２４×７６８［ドット］の表示画像（ＸＧＡ）よりもサイズの大きな表示用画像として、１２８０×１０２４［ドット］の画像（ＳＸＧＡ）を用いたが、例えば図１８に示すように、Ｈｔｏｔａｌ及びＶｔｏｔａｌの範囲内で、１０２４×７６８［ドット］（ＸＧＡ）の画像領域を拡大し、拡大した画像６０ｃを表示用画像として使用することも可能である。拡大した画像６０ｃを用いる場合は、図１８に示すように、ＸＧＡ（１０２４×７６８［ドット］）の画像の上下に、文字画像を含ませる。この場合、ドットクロック数は変化しておらず、データイネーブル信号の無効化と共にドットクロック信号の無効化を行う必要は無い。
【００７４】
上述した実施の形態では、横方向のスクロールを例にして説明したが、本発明を用いて、縦方向のスクロールも同様にして行うことが可能である。縦方向のスクロールの例を図１９（ａ）〜（ｄ）に示す。図１９（ａ）、（ｃ）は表示用画像６０の例であり、図１９（ｂ）、（ｄ）は表示画像６０ｓの例である。表示用画像６０は、表示画像６０ｓと比較して水平方向のサイズが小さい領域Ａ１（標準画像）と、領域Ａ１の下側に接し、水平方向のサイズが領域Ａ１と等しい領域Ａ２と、領域Ａ１及びＡ２の右側に接する領域Ａ３（文字画像）と、領域Ａ３の右側に接する領域Ａ４に分かれている。領域Ａ１の標準画像６０ａと、領域Ａ３のクリッピング領域で指定されたテロップ画像６０ｂとが、表示画像６０ｓを構成し、表示画面に表示される。
【００７５】
また、上述した実施の形態においては、コンピュータ（画像出力モジュール）４０からドットクロック信号及びイネーブル信号が出力される場合を例にして説明したが、コンピュータ４０からドットクロック信号及び／又はイネーブル信号が出力されない場合、クリッピング装置（インターフェース装置）１０又は表示装置５０内部でドットクロック信号及び／又はイネーブル信号を生成することも可能である。
【００７６】
図２０に、イネーブル信号ＤＥｉが入力されない場合のクリッピング装置１０の例を示す。図２０に示すクリッピング装置１０は、イネーブル信号ＤＥを生成するＤＥ生成部（イネーブル信号生成手段）３５を備える。ＤＥ生成部３５には、ドットクロック信号ＣＬＫｉ、Ｈカウンタ１２のカウント値Ｈｃ、及びＶカウンタ２２のカウント値Ｖｃが入力され、ＣＬＫｉ，Ｈｃ及びＶｃに基づいてデータイネーブル信号ＤＥを生成し、ＤＥ出力ＡＮＤ回路３４に出力する。クリッピング装置１０は、データイネーブル信号を内部で生成する以外は、上述した実施の形態と同様に動作する。
【００７７】
図２１に、イネーブル信号ＤＥｉ又はドットクロック信号ＣＬＫｉの何れも入力されない場合のクリッピング装置１０の例を示す。図２１に示すクリッピング装置１０は、上述したＤＥ生成部３５と、ドットクロック信号ＣＬＫを生成するＰＬＬ（Phase Locked Loop）回路（ドットクロック信号生成手段）３３とを備える。ＰＬＬ回路３３には、水平同期信号Ｈｓｙｎｃが入力され、Ｈｓｙｎｃに基づいてドットクロック信号ＣＬＫを生成し、ＣＬＫ出力ＡＮＤ回路３２、ＤＥ生成部３５、Ｈカウンタ１２及びＶカウンタ２２に出力する。クリッピング装置１０は、データイネーブル信号及びドットクロック信号を内部で生成する以外は、上述した実施の形態と同様に動作する。
【００７８】
【発明の効果】
第１、第２、第３、第４、第５、第６、第１２、第１３、第１４、第１６、第１７、第２１又は第２３発明によれば、表示画面よりもサイズの大きい表示用画像に含まれる抽出用画像上に第２画像抽出領域を指定し、抽出用画像のうち第２画像抽出領域に対応するドットクロック信号及び／又はイネーブル信号（第１６発明の場合はイネーブル信号）を有効にすることにより、抽出用画像から第２画像を抽出して表示することが可能になる。抽出用画像のうちの一部分を表示するため、次に表示する画像を予め抽出用画像の他の部分に用意しておくことが可能であり、第２画像抽出領域の位置指定を変更するだけで表示画面に表示される第２画像を変更することが可能である。第２画像抽出領域の位置指定を変更するだけなので、第２画像の表示変更を低負荷で行うことが可能である。また、第２画像抽出領域はドットクロック信号及び／又はイネーブル信号（第１６発明の場合はイネーブル信号）を無効化して指定しているため、第２画像を変更する時間間隔がずれることはない。例えばちらつきの無いスムーズなスクロールを行うことが可能である。また、ドットクロック信号及びイネーブル信号を無効化することにより、イネーブル信号の無効化が表示モジュールに及ぼす影響を最小限に抑えることが可能である。例えば、抽出用画像のうちイネーブル信号を無効化した部分をＶｓｙｎｃなどに誤認識したり、クロック周波数を誤認識することを防止することが可能である。
【００７９】
第７、第８、第１５、第１８又は第２２発明によれば、第２画像抽出領域の移動量が所定量に達する都度、更新要求を表示装置又はインターフェース装置から画像出力モジュールに送信することにより、画像出力モジュールは、抽出用画像の表示済み部分の更新を行うことが可能になる。例えば、第２画像が所定量スクロールする毎に更新要求を行うことにより、スクロールが済んで表示する必要の無い部分の画像を、他の部分が表示されている間に更新することが可能になる。更新処理は表示が行われるまでに行えばよいため、実行タイミングがある程度遅れても問題は生じない。例えば負荷の高い処理を実行している場合に、抽出用画像の更新処理をある程度遅らせることが可能になり、負荷に関係無く例えばちらつきの無いスムーズなスクロールを行うことが可能である。
【００８０】
第９、第１０、第１１、第１９、第２０又は第２４発明によれば、イネーブル信号を生成することにより、イネーブル信号を出力しない表示システムであっても本発明を用いることが可能になる。また、ドットクロック信号を生成することにより、ドットクロック信号を出力しない表示システムであっても本発明を用いることが可能になる。
【図面の簡単な説明】
【図１】本発明に係るインターフェース装置（クリッピング装置）を備えた表示システムの例を示すブロック図である。
【図２】表示用画像の例を示す図である。
【図３】表示用画像の例を示す図である。
【図４】クリッピング装置の例を示すブロック図である。
【図５】スクロールの例を示す図である。
【図６】スクロールの例を示す図である。
【図７】スクロールの例を示す図である。
【図８】（ａ）はスクロールされる文字列の例を示す図であり、（ｂ）は表示用画像の領域Ａ３の元となる元画像の例を示す図である。
【図９】表示用画像の領域Ａ３の更新の例を示す図である。
【図１０】データイネーブル信号及びドットクロック信号の無効化の手順を示すフローチャートである。
【図１１】クリッピング領域の移動及び更新要求の送信の手順を示すフローチャートである。
【図１２】ドットクロック信号及びデータイネーブル信号の例を示す図である。
【図１３】ドットクロック信号及びデータイネーブル信号の例を示す図である。
【図１４】各行の更新手順の例を示す図である。
【図１５】各行の更新手順の例を示す図である。
【図１６】本発明に係る画像出力装置（コンピュータ）を備えた表示システムの例を示すブロック図である。
【図１７】本発明に係る表示装置を備えた表示システムの例を示すブロック図である。
【図１８】表示用画像の例を示す図である。
【図１９】スクロールの例を示す図である。
【図２０】クリッピング装置の例を示すブロック図である。
【図２１】クリッピング装置の例を示すブロック図である。
【図２２】従来のスクロールの例を示す図である。
【図２３】従来のコンピュータ及び表示装置の概略構成を示すブロック図である。
【図２４】従来のスクロールの例を示す図である。
【符号の説明】
１０  クリッピング装置（インターフェース装置）
１４  Ｈ領域指定部（指定手段）
１６  Ｈ比較部（無効化手段）
２４  Ｖ領域指定部（指定手段）
２６  Ｖ比較部（無効化手段）
３２  ＣＬＫ出力ＡＮＤ回路（無効化手段）
３３  ＰＬＬ回路（ドットクロック信号生成手段）
３４  ＤＥ出力ＡＮＤ回路（無効化手段）
３５  ＤＥ生成部（イネーブル信号生成手段）
３６  更新要求部（送信手段）
４０  コンピュータ（画像出力モジュール）
４０ａ  コンピュータ（画像出力装置）
４２  ＣＰＵ（画像作成手段）
５０  表示装置（表示モジュール）
５０ａ  表示装置
６０  表示用画像
６０ｓ  表示画像
６０ａ  標準画像（第１画像）
６０ｂ  テロップ画像（第２画像）
【図１】
2004205718.tif 000003
【図２】
2004205718.tif 000004
【図３】
2004205718.tif 000005
【図４】
2004205718.tif 000006
【図５】
2004205718.tif 000007
【図６】
2004205718.tif 000008
【図７】
2004205718.tif 000009
【図８】
2004205718.tif 000010
【図９】
2004205718.tif 000011
【図１０】
2004205718.tif 000012
【図１１】
2004205718.tif 000013
【図１２】
2004205718.tif 000014
【図１３】
2004205718.tif 000015
【図１４】
2004205718.tif 000016
【図１５】
2004205718.tif 000017
【図１６】
2004205718.tif 000018
【図１７】
2004205718.tif 000019
【図１８】
2004205718.tif 000020
【図１９】
2004205718.tif 000021
【図２０】
2004205718.tif 000022
【図２１】
2004205718.tif 000023
【図２２】
2004205718.tif 000024
【図２３】
2004205718.tif 000025
【図２４】
2004205718.tif 000026